(57)【要約】【課題】容易かつ確実に所定の形状に組み立て、吊り下げて持ち運べる取手付バスケットを提供する。【解決手段】四角筒状の周壁を形成する各一対の側面板１及び妻面板２として、一方の隣り合う側面板１及び妻面板２と他方の隣り合う側面板１及び妻面板２とを連設し、一方の妻面板２に重合板３を連設して、重合板３の切込部分を上方へ延長することにより把持用の取手板６を形成し、重合板３に取手板６の一側端が繋がるようにし、取手板６の他側端を、一方の妻面板２を切り込んで形成した帯片７を介して一方の側面板１に連結し、重合板３を他方の側面板１の裏側に重ねて貼り付け、組立時に取手板６と帯片７の境界が谷折りされ、取手板６が重合板３から一方の側面板１へ向かうようにする。【選択図】図３
2016222281.tif 000002
【特許請求の範囲】
【請求項１】
四角筒状の周壁を形成する各一対の側面板(1)及び妻面板(2)として、一方の隣り合う側面板(1)及び妻面板(2)と他方の隣り合う側面板(1)及び妻面板(2)とを連設し、一方の妻面板(2)に重合板(3)を連設し、重合板(3)に把持用の取手板(6)をその一側端が繋がるように連設し、取手板(6)の他側端を一方の側面板(1)に連結し、重合板(3)を他方の側面板(1)の裏側に重ねて貼り付け、取手板(6)が重合板(3)から一方の側面板(1)へ向かうようにした取手付バスケット。
【請求項２】
請求項１に記載の取手付バスケットにおいて、前記取手板(6)は、重合板(3)の切込部分を上方へ延長することにより形成し、取手板(6)の他側端を、一方の妻面板(2)を切り込んで形成した帯片(7)を介して一方の側面板(1)に連結し、取手板(6)と帯片(7)の境界が谷折りされるようにしたことを特徴とする取手付バスケット。
【請求項３】
請求項１に記載の取手付バスケットにおいて、前記取手板(6)は、重合板(3)の先端から延びる部分を上方へ延長して形成し、取手板(6)の先端下部に貼着片(11)を連設して、貼着片(11)を一方の側面板(1)の内面に貼り付け、取手板(6)が対向する側面板(1)の間に渡されるようにしたことを特徴とする取手付バスケット。
【発明の詳細な説明】
【技術分野】
【０００１】
この発明は、飲料入りの瓶や缶等の物品を収納し、吊り下げて持ち運べるようにした厚紙等のシート材から成る取手付バスケットに関するものである。
【背景技術】
【０００２】
従来、下記特許文献１には、板紙から成る取手付バスケットとして、図１０に示すようなものが記載されている。
【０００３】
この取手付バスケットは、長い側面板５１の両側にそれぞれ順次連設した妻面板５２及び短い側面板５３を折り曲げ、短い側面板５３同士を突き合わせて四角筒状の周壁を形成し、一方の短い側面板５３に連設した取手板５４を長い側面板５１の方向へ渡すように折り曲げ、取手板５４の先端の貼着片５５を長い側面板５１の内面に貼り付けると共に、他方の短い側面板５３の先端の貼着片５６を取手板５４に貼り付け、底壁をワンタッチ式として、偏平な折畳状態から容易に組み立てられるものとされている。
【０００４】
この取手付バスケットでは、組立状態で取手板５４で収納空間が２分割され、区画された各収納部にそれぞれ物品を収納すると、物品の配列方向に取手板５４が直交するので、手向きがよく、取手板５４により吊り下げて容易に物品を持ち運ぶことができる。
【先行技術文献】
【特許文献】
【０００５】
【特許文献１】実開昭６２−１１０１２１号公報
【発明の概要】
【発明が解決しようとする課題】
【０００６】
しかしながら、上記のような取手付バスケットでは、短い側面板５３同士を、取手板５４への貼着片５６の貼り付けにより接合することから、この貼付位置がずれると、偏平な折畳状態からの組立時に、所定の形状に組み立てにくくなる恐れがある。
【０００７】
そこで、この発明は、容易かつ確実に所定の形状に組み立て、吊り下げて持ち運べる取手付バスケットを提供することを課題とする。
【課題を解決するための手段】
【０００８】
上記課題を解決するため、この発明に係る取手付バスケットは、四角筒状の周壁を形成する各一対の側面板及び妻面板として、一方の隣り合う側面板及び妻面板と他方の隣り合う側面板及び妻面板とを連設し、一方の妻面板に重合板を連設し、重合板に把持用の取手板をその一側端が繋がるように連設し、取手板の他側端を一方の側面板に連結し、重合板を他方の側面板の裏側に重ねて貼り付け、取手板が重合板から一方の側面板へ向かうようにしたのである。
【０００９】
また、この取手付バスケットにおいて、前記取手板は、重合板の切込部分を上方へ延長することにより形成し、取手板の他側端を、一方の妻面板を切り込んで形成した帯片を介して一方の側面板に連結し、取手板と帯片の境界が谷折りされるようにしたのである。
【００１０】
或いは、前記取手板は、重合板の先端から延びる部分を上方へ延長して形成し、取手板の先端下部に貼着片を連設して、貼着片を一方の側面板の内面に貼り付け、取手板が対向する側面板の間に渡されるようにしたのである。
【発明の効果】
【００１１】
この発明に係る取手付バスケットでは、周壁が側面の中間で継ぎ合わされることなく、四角筒状に形成されるので、容易かつ確実に所定の形状に組み立てることができ、組立状態での強度も確保され、飲料入りの瓶や缶等の物品を収納し、取手板により吊り下げて、安定した状態で持ち運ぶことができる。
【図面の簡単な説明】
【００１２】
【図１】この発明に係る取手付バスケットの第１実施形態のブランクを示す図
【図２】同上の折畳状態を示す斜視図
【図３】同上の組立状態を示す斜視図
【図４】この発明に係る取手付バスケットの第２実施形態のブランクを示す図
【図５】同上の折畳状態を示す斜視図
【図６】同上の組立状態を示す斜視図
【図７】この発明に係る取手付バスケットの第３実施形態のブランクを示す図
【図８】同上の折畳状態を示す斜視図
【図９】同上の組立状態を示す斜視図
【図１０】特許文献１記載の取手付バスケットの組立状態を示す斜視図
【発明を実施するための形態】
【００１３】
最初に、この発明の第１実施形態を図１〜図３に基づいて説明する。
【００１４】
この取手付バスケットは、図１に示す板紙のブランクから形成される。このブランクでは、各一対の側面板１及び妻面板２として、一方の隣り合う側面板１及び妻面板２と他方の隣り合う側面板１及び妻面板２とが折目線を介して横方向に連設され、一方の妻面板２の側面板１が隣接しない側端に、折目線を介して重合板３が連設されている。
【００１５】
側面板１及び妻面板２の下端には、折目線を介して底面板４，５がそれぞれ連設され、底面板４の一側には斜め方向の折目線が入れられている。
【００１６】
重合板３は、先端側上部を残して一方の妻面板２まで切り込まれ、その切込部分を上方へ延長することにより取手板６が形成されている。取手板６の一側端下部は、折目線を介して重合板３に繋がり、取手板６の他側端下部は、一方の妻面板２を切り込んで形成された帯片７を介して一方の側面板１に繋がっている。
【００１７】
この取手板６の下端には、後述するように２本の瓶を収納したとき、瓶同士の衝突を防止するため、弧状の膨出部６ａが設けられている。
【００１８】
また、一方の側面板１の上部は、幅方向中央から他方の妻面板２まで切り込まれ、その切込部分を上方へ延長することにより、さらに取手板６が形成されている。取手板６の一側端下部は、折目線を介して一方の側面板１に繋がり、取手板６の他側端下部は、他方の妻面板２を切り込んで形成された帯片７を介して他方の側面板１に繋がっている。
【００１９】
取手板６と帯片７の境界には折目線が入れられ、帯片７と側面板１の境界にも折目線が入れられている。取手板６の上部には、手入穴８が穿設され、手入穴８の上辺には、折目線をヒンジとして把持片９が設けられている。
【００２０】
このブランクの各折目線は、折曲抵抗を軽減するため、押罫と切目とから構成されるリード罫とされている。
【００２１】
上記のようなブランクから取手付バスケットを製造する際には、図２に示すように、一方及び他方の隣り合う側面板１と妻面板２の境界を１８０°折り曲げ、一方の妻面板２から延びる重合板３を他方の側面板１の裏面に重ねて貼り合わせ、これに伴い、重なった取手板６同士を貼り合わせる。また、底面板４，５を内側へ折り込み、底面板４の一側を斜め方向の折目線に沿って折り返し、その折返部を底面板５の表面に貼り付ける。
【００２２】
このように折り重ねて貼り付けることにより、偏平な折畳状態として、飲料メーカーや流通業者等、飲料を扱う販売業者に提供すると、販売業者の倉庫等において、嵩張らない状態で保管できる。
【００２３】
そして、例えば、図３に示すように、飲料の販売業者が２本の飲料入り瓶Ｂを纏めて販売する際には、各一対の側面板１及び妻面板２を四角筒状の周壁を形成するように立体化し、底面板４，５により底壁が形成されるようにする。
【００２４】
これに伴い、取手板６は、対向する側面板１の間に渡された状態となり、それぞれの取手板６と帯片７の境界は、表面側が窪むように谷折りされ、帯片７が側面板１の裏面に沿った状態となり、取手板６により収納空間が２分割されるので、区画された２つの収納部に、それぞれ瓶Ｂを収納する。この収納状態において、瓶Ｂ同士の衝突が膨出部６ａにより防止される。
【００２５】
上記のような取手付バスケットでは、各一対の側面板１及び妻面板２から成る周壁が側面の中間で継ぎ合わされることなく、四角筒状に形成されるので、容易かつ確実に所定の形状に組み立てて、２本の飲料入りの瓶Ｂを収納することができ、組立状態での強度も確保される。
【００２６】
そして、取手板６の手入穴８に手を入れ、重なり合った把持片９を同方向へ折り曲げ、板紙の端縁が手に当たらないようにして、吊り下げて持ち運ぶことができる。
【００２７】
また、仕切として機能する取手板６が物品の配列方向に直交するので、持ち運び時の手向きがよく、側面板１及び妻面板２の上部を切り込んで取手板６及び帯片７を形成しているので、周壁を低く設定でき、瓶Ｂの収納や取り出しを容易に行うことができる。
【００２８】
次に、この発明の第２実施形態を図４〜図６に基づいて説明する。
【００２９】
この取手付バスケットは、上記第１実施形態のものと基本的な構成が共通しているが、図４のブランクに示すように、重合板３を切り込んで形成した取手板６の他側端に、折目線を介して他の取手板６が連設され、また、一方の側面板１の上部を、幅方向中央の折目線から他方の妻面板２まで切り込んで形成された帯片１０が、他方の妻面板２を切り込んで形成された帯片７と折目線を介して繋がっている点で相違している。
【００３０】
そして、製造時に、図５に示すように、取手板６同士を折り重ねて貼り合わせ、使用する際、図６に示すように、帯片７，１０を谷折りすると、取手板６の揺動が帯片１０により抑制されるので、収納した瓶Ｂを安定して持ち運ぶことができるものとなる。
【００３１】
次に、この発明の第３実施形態を図７〜図９に基づいて説明する。
【００３２】
この取手付バスケットは、図７に示すブランクから形成されるものであり、そのブランクにおいて、取手板６が重合板３の先端から延びる部分を上方へ延長して形成され、この取手板６の先端下部に貼着片１１が折目線を介して連設されると共に、反対側の側端に他の取手板６が折目線を介して連設された点を特徴としている。
【００３３】
そして、製造時には、図８に示すように、取手板６同士を折り重ねて貼り合わせ、重合板３から取手板６を折り返し、貼着片１１を一方の側面板１の内面に貼り付けておき、使用する際、図９に示すように、各一対の側面板１及び妻面板２から四角筒状の周壁を形成すると、取手板６が対向する側面板１の間に渡されるので、取手板６により区画された２つの収納部にそれぞれ瓶Ｂを収納し、吊り下げて持ち運ぶことができる。
【００３４】
このような取手付バスケットでは、ブランクの切り込み箇所が少ないので、製造コストを抑制できるほか、使用時に大きな偏荷重が作用した場合等においても、切込の端部から材料の板紙が破断するような現象が生じにくい。
【００３５】
なお、上記各実施形態では、販売店の店頭等で瓶を収納する用途を想定して、ワンタッチ式の底壁を有するものを例示したが、飲料メーカーからの出荷段階で瓶を収納する場合等においては、折畳状態からワンタッチで組み立てられるようにする必要はなく、内フラップと外フラップとを単に重ね合わせて固定する半Ａ式のような構造としてもよい。
【符号の説明】
【００３６】
１  側面板
２  妻面板
３  重合板
４，５  底面板
６  取手板
６ａ  膨出部
７  帯片
８  手入穴
９  把持片
１０  帯片
１１  貼着片
Ｂ  瓶
【図１】
2016222281.tif 000003
【図２】
2016222281.tif 000004
【図３】
2016222281.tif 000005
【図４】
2016222281.tif 000006
【図５】
2016222281.tif 000007
【図６】
2016222281.tif 000008
【図７】
2016222281.tif 000009
【図８】
2016222281.tif 000010
【図９】
2016222281.tif 000011
【図１０】
2016222281.tif 000012